(57)【要約】【課題】画像処理装置の内部に異常が発生した状況に対して適切な対処を可能とする技術を提供する。【解決手段】画像処理装置は、圧縮された画像データに対して伸張処理を実行して、伸張された画像データを生成する少なくとも１つの伸張回路と、圧縮された画像データを記憶する第１のメモリと、少なくとも１つの伸張回路と第１のメモリとを制御し、伸張処理での異常の検知に応じて、伸張処理の処理方法を変更して伸張処理を再度実行して伸張処理の正常な処理が可能な処理方法を探索して伸張処理を正常に完了させる制御部とを備える。【選択図】図１
2019083397.tif 000002
【特許請求の範囲】
【請求項１】
圧縮された画像データに対して伸張処理を実行して、伸張された画像データを生成する少なくとも１つの伸張回路と、
前記圧縮された画像データを記憶する第１のメモリと、
前記少なくとも１つの伸張回路と前記第１のメモリとを制御し、前記伸張処理での異常の検知に応じて、前記伸張処理の処理方法を変更して前記伸張処理を再度実行して前記伸張処理の正常な処理が可能な処理方法を探索して前記伸張処理を正常に完了させる制御部と、
を備える画像処理装置。
【請求項２】
請求項１に記載の画像処理装置であって、
前記制御部は、前記変更後の伸張処理の処理方法として、前記第１のメモリのフラッシュ処理を実行した直後に、前記第１のメモリに前記圧縮された画像データを展開して前記伸張処理を再度実行する画像処理装置。
【請求項３】
請求項１又は２に記載の画像処理装置であって、
前記制御部は、前記少なくとも１つの伸張回路のうち前記変更前の伸張処理で使用した前記伸張回路の使用を排除して前記伸張処理を再度実行する画像処理装置。
【請求項４】
請求項３記載の画像処理装置であって、
前記少なくとも１つの伸張回路は、複数の伸張回路を含み、
前記制御部は、前記複数の伸張回路のうち前記変更前の伸張処理で使用した前記伸張回路以外の前記伸張回路を使用して前記伸張処理を再度実行する画像処理装置。
【請求項５】
請求項１乃至４のいずれか１項に記載の画像処理装置であって、さらに、
前記伸張処理が実行された画像データを記憶する記憶領域を有する第２のメモリを備え、
前記制御部は、前記記憶領域のうち前記変更前の伸張処理で使用した使用領域の使用を排除して前記伸張処理を再度実行する画像処理装置。
【請求項６】
請求項１乃至５のいずれか１項に記載の画像処理装置と、
前記伸張された画像データを使用して記録媒体上に画像を形成する画像形成部と、
を備える画像形成装置。
【請求項７】
少なくとも１つの伸張回路を用い、圧縮された画像データに対して伸張処理を実行して、伸張された画像データを生成する少なくとも１つの伸張工程と、
前記圧縮された画像データを第１のメモリに記憶する第１の記憶工程と、
前記少なくとも１つの伸張回路と前記第１のメモリとを制御し、前記伸張処理での異常の検知に応じて、前記伸張処理の処理方法を変更して前記伸張処理を再度実行して前記伸張処理の正常な処理が可能な処理方法を探索して前記伸張処理を正常に完了させる制御工程と、
を備える画像処理方法。
【請求項８】
圧縮された画像データに対して伸張処理を実行して、伸張された画像データを生成する少なくとも１つの伸張回路と、前記圧縮された画像データを記憶する第１のメモリとを有する画像処理装置を制御するための画像処理プログラムであって、
前記少なくとも１つの伸張回路と前記第１のメモリとを制御し、前記伸張処理での異常の検知に応じて、前記伸張処理の処理方法を変更して前記伸張処理を再度実行して前記伸張処理の正常な処理が可能な処理方法を探索して前記伸張処理を正常に完了させる制御部として前記画像処理装置を機能させる画像処理プログラム。
【発明の詳細な説明】
【技術分野】
【０００１】
本発明は、画像処理装置、画像形成装置、画像処理方法及び画像処理プログラムに関し、特に画像データの圧縮・伸張処理技術に関する。
【背景技術】
【０００２】
画像形成装置（たとえばプリンター、多機能プリンター、又は複合機（Ｍｕｌｔｉｆｕｎｃｔｉｏｎ  Ｐｅｒｉｐｈｅｒａｌ）には、画像形成装置内部の記憶領域に記憶されている画像データ（たとえばＪＰＥＧデータ）や印刷ジョブに含まれている画像データに対して伸張処理を実行してビットマップデータに変換するものがある。伸張処理は、専用のハードウェア（たとえばＡｐｐｌｉｃａｔｉｏｎ  Ｓｐｅｃｉｆｉｃ  Ｉｎｔｅｇｒａｔｅｄ  Ｃｉｒｃｕｉｔ（ＡＳＩＣ））を使用することによって処理速度の高速化を図ることができる。一方、画像形成装置は、多機能化や高性能化に伴い複雑化しているので、その内部で異常が発生したときの対処処理も求められている。このような問題に対して、たとえば特許文献１は、アイソクロナス転送によるデータ転送中に通信エラーによるデータ欠損が発生した場合であっても、効率的なエラー回復を行なうことでデータ遅延を防止し、一定のシステム速度で印刷を行なうための技術を提案している。
【先行技術文献】
【特許文献】
【０００３】
【特許文献１】特開２００３−４６７０９号公報
【発明の概要】
【発明が解決しようとする課題】
【０００４】
しかし、従来技術は、通信エラーがノイズなどに起因し、画像形成装置の処理内容に異常が無いことを想定している。このため、従来技術は、画像形成装置の内部に異常が発生した状況に対しては、対処することができないという問題があった。
【０００５】
本発明は、このような状況に鑑みてなされたものであり、画像処理装置の内部に異常が発生した状況に対して適切な対処を可能とする技術を提供することを目的とする。
【課題を解決するための手段】
【０００６】
本発明の画像処理装置は、圧縮された画像データに対して伸張処理を実行して、伸張された画像データを生成する少なくとも１つの伸張回路と、前記圧縮された画像データを記憶する第１のメモリと、前記少なくとも１つの伸張回路と前記第１のメモリとを制御し、前記伸張処理での異常の検知に応じて、前記伸張処理の処理方法を変更して前記伸張処理を再度実行して前記伸張処理の正常な処理が可能な処理方法を探索して前記伸張処理を正常に完了させる制御部とを備える。
【０００７】
本発明の画像形成装置は、前記画像処理装置と、前記伸張された画像データを使用して記録媒体上に画像を形成する画像形成部とを備える。
【０００８】
本発明の画像処理方法は、少なくとも１つの伸張回路を用い、圧縮された画像データに対して伸張処理を実行して、伸張された画像データを生成する少なくとも１つの伸張工程と、前記圧縮された画像データを第１のメモリに記憶する第１の記憶工程と、前記少なくとも１つの伸張回路と前記第１のメモリとを制御し、前記伸張処理での異常の検知に応じて、前記伸張処理の処理方法を変更して前記伸張処理を再度実行して前記伸張処理の正常な処理が可能な処理方法を探索して前記伸張処理を正常に完了させる制御工程とを備える。
【０００９】
本発明は、圧縮された画像データに対して伸張処理を実行して、伸張された画像データを生成する少なくとも１つの伸張回路と、前記圧縮された画像データを記憶する第１のメモリとを有する画像処理装置を制御するための画像処理プログラムを提供する。前記画像処理プログラムは、前記少なくとも１つの伸張回路と前記第１のメモリとを制御し、前記伸張処理での異常の検知に応じて、前記伸張処理の処理方法を変更して前記伸張処理を再度実行して前記伸張処理の正常な処理が可能な処理方法を探索して前記伸張処理を正常に完了させる制御部として前記画像処理装置を機能させる。
【発明の効果】
【００１０】
本発明によれば、画像処理装置の内部に異常が発生した状況に対して適切な対処を可能とする技術を提供することができる。
【図面の簡単な説明】
【００１１】
【図１】本発明の一実施形態に係る画像形成装置１０の機能構成を示すブロックダイアグラムである。
【図２】一実施形態に係る画像形成処理の内容を示すフローチャートである。
【図３】一実施形態に係るＪＰＥＧ画像データ伸張処理の内容を示すフローチャートである。
【図４】一実施形態に係る異常対応処理の内容を示すフローチャートである。
【発明を実施するための形態】
【００１２】
以下、本発明を実施するための形態（以下、「実施形態」という）を、図面を参照して説明する。
【００１３】
図１は、本発明の一実施形態に係る画像形成装置１０の機能構成を示すブロックダイアグラムである。画像形成装置１０は、制御部１００と、画像読取部２００と、操作表示部３００と、画像形成部４００と、記憶部５００とを備えている。画像形成部４００は、画像データに応じて記録媒体としての印刷用紙に画像を形成して印刷物として排出する。
【００１４】
制御部１００は、ＣＰＵ（Ｃｅｎｔｒａｌ  Ｐｒｏｃｅｓｓｉｎｇ  Ｕｎｉｔ）１１０と、第１メモリユニット１２１と、第２メモリユニット１２２と、第１伸張回路１３１と、第２伸張回路１３２と、通信インターフェース部（通信Ｉ／Ｆ部とも呼ばれる。）１５０と、内部バス１６０とを備えている。第１メモリユニット１２１及び第２メモリユニット１２２は、第２のメモリとも呼ばれる。
【００１５】
内部バス１６０は、ＣＰＵ１１０、第１メモリユニット１２１、第２メモリユニット１２２、第１伸張回路１３１、第２伸張回路１３２及び通信インターフェース部１５０を相互に接続している。内部バス１６０は、通信インターフェース部１５０を介して画像読取部２００、操作表示部３００、画像形成部４００及び記憶部５００に接続されている。
【００１６】
ＣＰＵ１１０は、キャッシュメモリ１１１を有し、画像形成装置１０全体の処理の高速化を実現している。第１メモリユニット１２１及び第２メモリユニット１２２は、それぞれＣＰＵの作業領域として機能するダイナミックＲＡＭ（ＤＲＡＭ）を有している。キャッシュメモリ１１１は、第１のメモリとも呼ばれる。なお、キャッシュメモリ１１１は、第１メモリユニット１２１や第２メモリユニット１２２よりもアクセス速度が速いメモリであればよく、ＣＰＵ１１０の外部に装備されていてもよい。
【００１７】
記憶部５００は、非一時的な記録媒体であるハードディスクドライブやフラッシュメモリー等からなる記憶装置で、制御部１００が実行する処理の制御プログラム（画像処理プログラムを含む。）やデータを記憶する。記憶部５００は、さらにボックス用記憶領域５１０を有している。ボックス用記憶領域５１０には、ユーザーが利用可能な記憶領域が割り当てられている。
【００１８】
第１伸張回路１３１及び第２伸張回路１３２は、圧縮処理及び伸張処理のための専用のハードウェア（たとえばＡｐｐｌｉｃａｔｉｏｎ  Ｓｐｅｃｉｆｉｃ  Ｉｎｔｅｇｒａｔｅｄ  Ｃｉｒｃｕｉｔ（ＡＳＩＣ））として制御部１００に装備されている。第１伸張回路１３１及び第２伸張回路１３２は、それぞれ伸張用メモリ１３１Ｍ及び伸張用メモリ１３２Ｍを有し、伸張処理のさらなる高速化を実現している。
【００１９】
第１伸張回路１３１及び第２伸張回路１３２は、いずれも画像読取部２００による画像読取りによって生成されたＲＧＢのビットマップ画像データとしてのスキャンデータをＪｐｅｇ画像データに変換（圧縮）することができる。これにより、画像形成装置１０は、小さなデータサイズのスキャンデータ（Ｊｐｅｇ画像データ）としてボックス用記憶領域５１０に記憶することができる。
【００２０】
圧縮処理及び伸張処理は、第１メモリユニット１２１と第２メモリユニット１２２の少なくとも一方と、ＣＰＵ１１０とを使用してソフトウェアでも実現できる処理である。しかしながら、画像形成装置１０は、たとえば複数の汎用ＡＳＩＣを採用することによって画像形成装置１０の要求仕様に合致した伸張処理や圧縮処理を低コストで実現する一方、ＣＰＵ１１０の要求仕様から圧縮処理及び伸張処理を外すことができる。これにより、画像形成装置１０は、トータルコストを抑制しつつ高性能の処理を実現することができる。
【００２１】
図２は、一実施形態に係る画像形成処理の内容を示すフローチャートである。この例では、画像形成装置１０は、ボックス用記憶領域５１０に記憶されているスキャンデータ（Ｊｐｅｇ画像データ）に基づいて印刷するものとする。
【００２２】
ステップＳ１００では、制御部１００は、操作表示部３００を介したユーザー操作入力に応じてボックス用記憶領域５１０からスキャンデータ（Ｊｐｅｇ画像データ）を取得する。ステップＳ２００では、ＣＰＵ１１０は、キャッシュメモリ１１１内にスキャンデータ（Ｊｐｅｇ画像データ）を展開する。
【００２３】
ステップＳ３００では、ＣＰＵ１１０は、スキャンデータがＪｐｅｇ画像データであるか否かを判断する。ＣＰＵ１１０は、スキャンデータがＪｐｅｇ画像データである場合には、処理をステップＳ４００に進め、スキャンデータがＪｐｅｇ画像データでない場合には、処理をステップＳ７００に進める。この例では、ＣＰＵ１１０は、処理をステップＳ４００に進める。
【００２４】
図３は、一実施形態に係るＪＰＥＧ画像データ伸張処理（ステップＳ４００）の内容を示すフローチャートである。ステップＳ４１０では、ＣＰＵ１１０は、Ｊｐｅｇ画像データであるスキャンデータを第１伸張回路１３１に転送する。第１伸張回路１３１は、スキャンデータを伸張用メモリ１３１Ｍ内に展開する。
【００２５】
ステップＳ４２０では、ＣＰＵ１１０は、キャッシュメモリ１１１に対してキャッシュフラッシュ処理を実行して、次の処理に備える。キャッシュフラッシュ処理とは、キャッシュメモリ１１１内のデータを消去する処理である。キャッシュフラッシュ処理は、単にフラッシュ処理とも呼ばれる。
【００２６】
ステップＳ４３０では、第１伸張回路１３１は、伸張用メモリ１３１Ｍ内に展開されているＪｐｅｇ画像データであるスキャンデータに対して伸張処理を実行する。第１伸張回路１３１は、Ｊｐｅｇ画像データに対して伸張処理を実行してＲＧＢのビットマップ画像データに変換する。
【００２７】
ステップＳ４４０では、第１伸張回路１３１は、ＲＧＢのビットマップ画像データを第１メモリユニット１２１内に展開する。ステップＳ４５０では、第１伸張回路１３１は、ＣＰＵ１１０に対してステータス通知処理を実行する。ステータス通知処理では、ＣＰＵ１１０は、「正常終了」又は「異常検知」のいずれかを表すステータス通知を受信する。
【００２８】
ステップＳ５００では、ＣＰＵ１１０は、「異常検知」のステータス通知を受信した場合には、処理をステップＳ６００に進め、「正常終了」のステータス通知を受信し場合には、処理をステップＳ７００に進める。この例では、ＣＰＵ１１０は、「異常検知」のステータス通知を受信し、処理をステップＳ６００に進めるものとする。
【００２９】
図４は、一実施形態に係る異常対応処理（ステップＳ６００）の内容を示すフローチャートである。異常対応処理では、制御部１００は、伸張処理の方法を逐次変更して、正常処理が可能なハードウェア構成や処理方法を探索し、次回以降の処理で正常処理が可能なハードウェア構成を利用できるようにするとともに、特定された故障内容をエラーログに記録する。
【００３０】
ステップＳ６１０では、ＣＰＵ１１０は、キャッシュフラッシュ処理の直後に再試行処理を実行する。再試行処理では、ＣＰＵ１１０は、キャッシュメモリ１１１に対してキャッシュフラッシュ処理を再度実行し、処理をステップＳ２００（図２参照）に戻す。これにより、ＣＰＵ１１０は、キャッシュフラッシュ処理が確実に実行されたキャッシュメモリ１１１に改めてスキャンデータ（Ｊｐｅｇ画像データ）を展開することができる。
【００３１】
ステップＳ６２０では、ＣＰＵ１１０は、異常を再度検知したか否かを判断する。ＣＰＵ１１０は、異常を再度検知した場合には、処理をステップＳ６３０に進め、異常を検知しなかった場合には、キャッシュメモリ１１１のキャッシュフラッシュ処理の不良が異常の原因であることを特定し、処理をステップＳ６８０に進める。
【００３２】
ステップＳ６３０では、ＣＰＵ１１０は、メモリを変更して再試行処理を実行する。具体的には、ＣＰＵ１１０は、ＲＧＢのビットマップ画像データの展開先として第１メモリユニット１２１（処理方法の変更前）を使用して異常が検知された場合には、第２メモリユニット１２２をＲＧＢのビットマップ画像データの展開先として指定する（処理方法の変更後）。これにより、制御部１００は、第１メモリユニット１２１の不具合に起因する異常を回避することができる。
【００３３】
ステップＳ６４０では、ＣＰＵ１１０は、異常を再度検知したか否かを判断する。ＣＰＵ１１０は、異常を再度検知した場合には、処理をステップＳ６５０に進める。一方、ＣＰＵ１１０は、異常を検知しなかった場合には、第１メモリユニット１２１が故障の原因であることを特定し、処理をステップＳ６８０に進める。
【００３４】
ステップＳ６５０では、ＣＰＵ１１０は、第１メモリユニット１２１を使用し、伸張回路を変更して再試行処理を実行する。具体的には、ＣＰＵ１１０は、第１伸張回路１３１（処理方法の変更前）を使用して異常が検知された場合には、伸張処理に第２伸張回路１３２を指定する（処理方法の変更後）。これにより、制御部１００は、第１伸張回路１３１の不具合に起因する異常を回避することができる。
【００３５】
ステップＳ６６０では、ＣＰＵ１１０は、異常を再度検知したか否かを判断する。ＣＰＵ１１０は、異常を検知しなかった場合には、第１メモリユニット１２１が正常で、第１伸張回路１３１が故障の原因であることを特定し、処理をステップＳ６８０に進める。
【００３６】
ＣＰＵ１１０は、異常を再度検知した場合には、さらに、第２メモリユニット１２２と第２伸張回路１３２とを使用して再試行処理を実行する。ＣＰＵ１１０は、異常を検知しなかった場合には、第２メモリユニット１２２と第２伸張回路１３２とが正常で、第１メモリユニット１２１と第１伸張回路１３１の双方が故障の原因であることを特定し、処理をステップＳ６８０に進める。一方、ＣＰＵ１１０は、異常を再度検知した場合には、処理をステップＳ６７０に進める。
【００３７】
ステップＳ６７０では、ＣＰＵ１１０は、第１伸張回路１３１と第２伸張回路１３２のいずれも使用することなく、ＣＰＵ１１０が第１メモリユニット１２１と第２メモリユニット１２２とを順に使用してソフトウェア処理で再試行処理を実行する。
【００３８】
ステップＳ６８０では、制御部１００は、作動モード設定処理を実行する。作動モード設定処理では、制御部１００は、伸張処理の完了に成功した正常なハードウェア形態（伸張回路とメモリユニットの組み合わせ、あるいはソフトウェア処理）を記憶部５００に記憶する。これにより、制御部１００は、次回以降の処理で正常なハードウェア形態で伸張処理や圧縮処理を実行することができる。
【００３９】
なお、制御部１００は、ソフトウェア処理での再試行処理に失敗した場合には、ワークエリアの第１メモリユニット１２１と第２メモリユニット１２２の双方と、ＣＰＵ１１０のいずれかに異常を検知したことになる。よって、画像形成装置１０は、操作表示部３００に故障した旨を表示して作動を停止し、その旨をエラーログに記録する。これにより、ユーザーは、画像形成装置１０のサポート業者に対して修理を依頼することができる。サポート業者は、エラーログの記録を取得して修理に役立てることができる。
【００４０】
ステップＳ７００では、制御部１００は、画像形成用データ生成処理を実行する。画像形成用データ生成処理では、制御部１００は、ＲＧＢのビットマップ画像データに対して色変換処理とハーフトーン処理とを実行し、ドットの形成状態を表すドットデータを生成する。
【００４１】
ステップＳ８００では、画像形成部４００は、ドットデータに基づいて印刷媒体上に画像を形成して、画像形成装置１０の外部に出力する。この際、制御部１００は、さらに、異常対応処理（ステップＳ６００）で特定された原因をエラーログに記録し、操作表示部３００に異常が発生して異常対応モードで処理が完了した旨を表示させる。これにより、ユーザーは、画像形成装置１０のサポート業者に対して修理を依頼することができる。
【００４２】
このように、一実施形態に係る画像形成装置１０は、予め想定されている異常の原因となる事象を回避する伸張処理の処理方法に変更して伸張処理を再度実行するので、画像形成装置の内部に異常が発生した状況に対して適切に対処することができる。
【００４３】
これにより、伸張処理に関するハードウェアの異常に起因する画像形成装置１０の使用不能状態を回避して、画像形成装置１０の運用を継続しつつサポート業者による修理（たとえば故障が検知された第１メモリユニット１２１や第１伸張回路１３１等の基板交換）を待つことができる。
【００４４】
なお、上記実施形態では、制御部１００は、故障したハードウェアを検出するまで、全てのハードウェア形態（伸張回路とメモリユニットの組み合わせ）をテストしているが、必ずしも全てのハードウェア形態（全ての組合せ）や異常の可能性をテストする必要は無く、たとえば操作表示部３００を介してユーザーが設定する回数（Ｎ回）にテストの回数を制限するようにしてもよい。
【００４５】
本発明は、上記各実施形態だけでなく、以下のような変形例でも実施することができる。
【００４６】
変形例１：上記実施形態では、複数の伸張回路（第１伸張回路１３１及び第２伸張回路１３２）が使用され、複数の伸張回路のうち伸張処理（処理方法の変更前）で使用した伸張回路（実施形態では、第１伸張回路１３１）以外の伸張回路（実施形態では、第２伸張回路１３２）を使用して伸張処理を再度実行している。
【００４７】
しかしながら、必ずしも複数の伸張回路を有している必要はない。たとえば単一の伸張回路を有する画像形成装置において、伸張処理での異常の検知に応じて、ＣＰＵ１１０と第１メモリユニット１２１等とを使用してソフトウェア処理で伸張処理を再度実行するようにしてもよい。
【００４８】
変形例２：上記実施形態や変形例では、複数の伸張回路のうちの一部のみを使用して伸張処理が行われているが、複数の伸張回路を使用する並列処理で伸張処理が実行される構成にも本発明は適用可能である。具体的には、複数の伸張回路を使用する並列処理で伸張処理での異常の検知に応じて、複数の伸張回路のうちの一部を順番に排除することによって異常の原因となった伸張回路を外して伸張処理を実行するようにしてもよい。このように、本発明は、変更前の伸張処理で使用した伸張回路の使用を排除して伸張処理を再度実行するものとしてもよい。
【００４９】
変形例３：上記実施形態では、複数のメモリ（第１メモリユニット１２１及び第２メモリユニット１２２）が使用され、複数のメモリのうち伸張処理（処理方法の変更前）で使用したメモリ（実施形態では、第１メモリユニット１２１）以外の伸張回路（実施形態では、第２メモリユニット１２２）を使用して伸張処理を再度実行している。
【００５０】
しかしながら、必ずしも複数のメモリユニットを有している必要はない。たとえば単一のメモリユニットを有する画像形成装置において、伸張処理での異常の検知に応じて、メモリユニットのうちの変更前の伸張処理での使用領域と相違する領域を使用して伸張処理を再度実行するようにしてもよい。すなわち、本発明は、変更前の伸張処理で使用した使用領域の使用を排除して伸張処理を再度実行するものとしてもよい。
【００５１】
変形例３：上記実施形態では、異常の検知に応じてハードウェア形態（伸張回路とメモリユニットの組み合わせ）を変更して、異常が検出された際の処理対象のデータを使用して故障検知を実行しているが、必ずしも異常が検出された際の処理対象のデータを使用する必要はない。たとえば故障検出用の処理負荷の小さなテスト用のデータを使用するようにしてもよい。
【００５２】
変形例４：上記実施形態では、印刷媒体上に画像を形成する画像形成部を備える画像形成装置に本発明は適用されているが、たとえば画像を読み取って圧縮して記憶部に格納する画像読取専用装置や画像を読み取って圧縮して送信することが可能な複合機（Ｍｕｌｔｉｆｕｎｃｔｉｏｎ  Ｐｅｒｉｐｈｅｒａｌ）等が有する画像処理装置にも本発明は適用することができる。
【００５３】
このように、本発明の適用により、画像読取専用装置や複合機は、伸張処理に関するハードウェアの異常に起因する画像読取専用装置や複合機の使用不能状態を回避して、画像読取専用装置や複合機の運用を継続しつつサポート業者による修理を待つことができる。
【符号の説明】
【００５４】
１０  画像形成装置
１００  制御部
１１０  ＣＰＵ
１１１  キャッシュメモリ
１２１  第１メモリユニット
１２２  第２メモリユニット
１３１  第１伸張回路
１３２  第２伸張回路
１５０  通信インターフェース部
１６０  内部バス
２００  画像読取部
３００  操作表示部
４００  画像形成部
５００  記憶部
５１０  ボックス用記憶領域
【図１】
2019083397.tif 000003
【図２】
2019083397.tif 000004
【図３】
2019083397.tif 000005
【図４】
2019083397.tif 000006